【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
現在ビューが従属テクスチャビューであり、現在コーディングユニット（ＣＵ）がイントラコーディングされず、前記現在ＣＵの区分モードがＰＡＲＴ＿２Ｎ×２Ｎに等しいとき、前記ビデオデータの符号化表現を備えるビットストリームから、前記現在ＣＵの重み付け因子インデックスを取得することと、ここにおいて、前記現在ＣＵは、現在ビューに属するピクチャ中にあり、前記現在ＣＵのどの区分も時間的動きベクトルをもたないか、または前記現在ＣＵの視差ベクトルが利用不可能なとき、前記ビットストリームが、前記現在ＣＵについての前記重み付け因子インデックスが特定の値に等しいことを要求する制約に、前記現在ＣＵについての前記重み付け因子インデックスを従わせるビデオコーディング規格に、準拠し、前記重み付け因子インデックスが、前記現在ＣＵに関して残差予測が適用されないことを示す前記特定の値を有する、
前記現在ビューが従属テクスチャビューではない、または前記現在ＣＵがイントラコーディングされる、または前記現在ＣＵの前記区分モードがＰＡＲＴ＿２Ｎ×２Ｎに等しくないとき、前記重み付け因子インデックスが、前記特定の値に等しいと想定することと、
前記現在ＣＵについての前記重み付け因子インデックスに基づいて、重み付け因子を決定することと、
前記重み付け因子インデックスが前記特定の値に等しくないと決定したことに応答して、前記重み付け因子で乗算された参照残差信号を使って、前記現在ＣＵについての残差信号を予測することと
を備える方法。
【請求項２】
前記現在ＣＵの対応するブロック内のどの予測ユニット（ＰＵ）もインターコーディングされない場合、または前記現在ＣＵの前記対応するブロック内のどのＰＵも、０に等しくない、ルーマおよびクロマコード化ブロックフラグ（ＣＢＦ）の値をもたない場合、前記ビデオコーディング規格は、残差予測フラグが０に等しいことを要求する制約に、前記ビットストリーム中の前記残差予測フラグを従わせ、ここにおいて、０に等しい、前記現在ＣＵについての前記残差予測フラグは、前記現在ＣＵについて残差予測が使われないことを示し、前記対応するブロックは参照ビューピクチャ中にある、請求項１に記載の方法。
【請求項３】
残差予測が前記現在ＣＵに対して有効化されると決定したことに応答して、ならびに前記現在ＣＵの前記対応するブロック内の少なくとも１つのＰＵがイントラコーディングされないかどうか決定することなく、および前記現在ＣＵの前記対応するブロックの前記ルーマおよびクロマＣＢＦの前記値が０に等しくないと決定することなく、前記ビットストリームから前記残差予測フラグを取得することをさらに備える、請求項２に記載の方法。
【請求項４】
前記ビデオコーディング規格は、前記現在ＣＵのどのＰＵもビュー間参照ピクチャを使わない場合、照度補償が前記現在ＣＵには使われないことを示す値を指定することを照度補償フラグに要求する制約に、前記ビットストリーム中の前記照度補償フラグを従わせる、請求項１に記載の方法。
【請求項５】
前記現在ＣＵは現在スライス中にあり、
前記方法は、前記現在スライスについて照度補償が有効化されると決定したことに応答して、および前記現在ＣＵの少なくとも１つのＰＵがビュー間参照ピクチャを使うかどうか決定することなく、前記ビットストリームから前記照度補償フラグを取得すること、前記照度補償フラグは、照度補償が前記現在ＣＵに対して使われるかどうかを示す、をさらに備える、請求項４に記載の方法。
【請求項６】
ビデオデータを符号化する方法であって、
現在ビューが従属テクスチャビューであり、現在コーディングユニット（ＣＵ）がイントラコーディングされず、前記現在ＣＵの区分モードがＰＡＲＴ＿２Ｎ×２Ｎに等しいと決定したことに応答して、前記ビデオデータの符号化表現を備えるビットストリーム中に、前記現在ＣＵの重み付け因子インデックスを示すデータを含めることと、ここにおいて、前記現在ＣＵは、前記現在ビューに属するピクチャ中にあり、前記現在ＣＵのどの区分も時間的動きベクトルをもたないか、または前記現在ＣＵの視差ベクトルが利用不可能なとき、前記ビットストリームが、前記現在ＣＵについての前記重み付け因子インデックスが特定の値に等しいことを要求する制約に、前記現在ＣＵについての前記重み付け因子インデックスを従わせるビデオコーディング規格に、準拠し、ここにおいて、前記現在ＣＵについての前記重み付け因子インデックスは、前記現在ＣＵに関して残差予測が適用されないことを示す前記特定の値に等しい、
前記現在ビューが従属テクスチャビューではない、または前記現在ＣＵがイントラコーディングされない、または前記現在ＣＵの前記区分モードがＰＡＲＴ＿２Ｎ×２Ｎに等しくないと決定したことに応答して、前記ビットストリームから、前記現在ＣＵについての前記重み付け因子インデックスを示す前記データを省くことと、
前記ビットストリームを出力することと
を備える方法。
【請求項７】
前記重み付け因子が前記特定の値に等しくないとき、
参照残差信号を決定することと、
前記参照残差信号と前記重み付け因子とを使って、前記現在ＣＵについての最終残差データを決定することと
をさらに備える、請求項６に記載の方法。
【請求項８】
前記現在ＣＵの対応するブロック内のどの予測ユニット（ＰＵ）もインターコーディングされない場合、または前記現在ＣＵの前記対応するブロック内のどのＰＵも、０に等しくない、ルーマおよびクロマコード化ブロックフラグ（ＣＢＦ）の値をもたない場合、前記ビデオコーディング規格は、残差予測フラグが０に等しいことを要求する制約に、前記ビットストリーム中の前記残差予測フラグを従わせ、ここにおいて、０に等しい、前記現在ＣＵについての前記残差予測フラグは、前記現在ＣＵについて残差予測が使われないことを示し、前記対応するブロックは参照ビューピクチャ中にある、請求項６に記載の方法。
【請求項９】
前記ビデオコーディング規格は、前記現在ＣＵのどのＰＵもビュー間参照ピクチャを使わない場合、照度補償が前記現在ＣＵには使われないことを示す値を指定することを照度補償フラグに要求する制約に、前記ビットストリーム中の前記照度補償フラグを従わせる、請求項６に記載の方法。
【請求項１０】
前記現在ＣＵは現在スライス中にあり、
前記方法は、
前記現在スライスについて照度補償が有効化されるとき、前記照度補償フラグを示すデータを前記ビットストリーム中に含めること、前記現在ＣＵの少なくとも１つのＰＵがビュー間参照ピクチャを使うかどうかにかかわらず、前記照度補償フラグは、照度補償が前記現在ＣＵに対して使われるかどうかを示す、
をさらに備える、請求項９に記載の方法。
【請求項１１】
メモリと、１つまたは複数のプロセッサとを備えるビデオ復号デバイスであって、前記プロセッサは、
現在ビューが従属テクスチャビューであり、現在コーディングユニット（ＣＵ）がイントラコーディングされず、前記現在ＣＵの区分モードがＰＡＲＴ＿２Ｎ×２Ｎに等しいとき、ビデオデータの符号化表現を備えるビットストリームから、前記現在ＣＵの重み付け因子インデックスを取得し、ここにおいて、前記現在ＣＵは、現在ビューに属するピクチャ中にあり、前記現在ＣＵのどの区分も時間的動きベクトルをもたないか、または前記現在ＣＵの視差ベクトルが利用不可能なとき、前記ビットストリームが、前記現在ＣＵについての前記重み付け因子インデックスが特定の値に等しいことを要求する制約に、前記現在ＣＵについての前記重み付け因子インデックスを従わせるビデオコーディング規格に、準拠し、前記特定の値は、前記現在ＣＵに関して残差予測が適用されないことを示す、
前記現在ビューが従属テクスチャビューではない、または前記現在ＣＵがイントラコーディングされる、または前記現在ＣＵの前記区分モードがＰＡＲＴ＿２Ｎ×２Ｎに等しくないとき、前記重み付け因子インデックスが、前記特定の値に等しいと想定し、
前記現在ＣＵについての前記重み付け因子インデックスに基づいて、重み付け因子を決定し、
前記重み付け因子インデックスが前記特定の値に等しくないと決定したことに応答して、前記重み付け因子で乗算された参照残差信号を使って、前記現在ＣＵについての残差信号を予測する
ように構成される、ビデオ復号デバイス。
【請求項１２】
前記現在ＣＵの対応するブロック内のどの予測ユニット（ＰＵ）もインターコーディングされない場合、または前記現在ＣＵの前記対応するブロック内のどのＰＵも、０に等しくない、ルーマおよびクロマコード化ブロックフラグ（ＣＢＦ）の値をもたない場合、前記ビデオコーディング規格は、残差予測フラグが０に等しいことを要求する制約に、前記ビットストリーム中の前記残差予測フラグを従わせ、ここにおいて、０に等しい、前記現在ＣＵについての前記残差予測フラグは、前記現在ＣＵについて残差予測が使われないことを示し、前記対応するブロックは参照ビューピクチャ中にある、請求項１１に記載のビデオ復号デバイス。
【請求項１３】
前記１つまたは複数のプロセッサは、残差予測が前記現在ＣＵに対して有効化されると決定したことに応答して、ならびに前記現在ＣＵの前記対応するブロック内の少なくとも１つのＰＵがイントラコーディングされないかどうか決定することなく、および前記現在ＣＵの前記対応するブロックの前記ルーマおよびクロマＣＢＦの前記値が０に等しくないと決定することなく、前記ビットストリームから前記残差予測フラグを取得する構成される、請求項１２に記載のビデオ復号デバイス。
【請求項１４】
前記ビデオコーディング規格は、前記現在ＣＵのどのＰＵもビュー間参照ピクチャを使わない場合、照度補償が前記現在ＣＵには使われないことを示す値を指定することを照度補償フラグに要求する制約に、前記ビットストリーム中の前記照度補償フラグを従わせる、請求項１１に記載のビデオ復号デバイス。
【請求項１５】
前記現在ＣＵは現在スライス中にあり、
前記１つまたは複数のプロセッサは、前記現在スライスについて照度補償が有効化されると決定したことに応答して、および前記現在ＣＵの少なくとも１つのＰＵがビュー間参照ピクチャを使うかどうか決定することなく、前記１つまたは複数のプロセッサが前記ビットストリームから前記照度補償フラグを取得するように、構成され、前記照度補償フラグは、照度補償が前記現在ＣＵに対して使われるかどうかを示す、請求項１４に記載のビデオ復号デバイス。